(57)【要約】【課題】容量素子間の電圧アンバランスを低減しつつ、該電圧アンバランス低減のために要する電力消費を小さく抑える。【解決手段】複数の容量素子（11）が並列接続された複数の並列容量素子ブロック（10）と、複数の並列容量素子ブロック（10）を直列接続する接続部（20）とを設ける。そして、蓄電装置全体の容量素子（11）うちの漏れ電流の大きさが最大の容量素子（11）及び漏れ電流の大きさが最小の容量素子（11）の少なくとも一方を、その容量素子（11）とは漏れ電流の大きさが異なる容量素子（11）と並列接続する。【選択図】図１
2010017052.tif 000002
【特許請求の範囲】
【請求項１】
容量素子に蓄電して電力を供給する蓄電装置であって、
複数の容量素子（11）が並列接続された複数の並列容量素子ブロック（10）と、
前記複数の並列容量素子ブロック（10）を直列接続する接続部（20）と、
を備え、
前記蓄電装置全体の容量素子（11）うちの漏れ電流の大きさが最大の容量素子（11）及び漏れ電流の大きさが最小の容量素子（11）の少なくとも一方は、その容量素子（11）とは漏れ電流の大きさが異なる容量素子（11）と並列接続されていることを特徴とする蓄電装置。
【請求項２】
請求項１の蓄電装置において、
すべての容量素子（11）の中で、漏れ電流が最大のものと最小のものとは、同じ並列容量素子ブロック（10）において並列接続されていることを特徴とする蓄電装置。
【請求項３】
請求項１の蓄電装置において、
前記容量素子（11）は、すべて同容量であることを特徴とする蓄電装置。
【発明の詳細な説明】
【技術分野】
【０００１】
本発明は、容量素子に蓄電して電力を供給する蓄電装置に関するものである。
【背景技術】
【０００２】
近年、容量素子に蓄電し電力を供給する蓄電装置が、複写機の加熱装置の補助電源や、パーソナルコンピュータの無停電電源装置などとして期待されている。このような蓄電装置では、容量素子を直列接続したモジュールを構成して所望の出力電圧を得るのが一般的である。また、蓄電装置には、蓄電用の容量素子として電気二重層キャパシタ（Electric Double Layer Capacitor、以下ＥＤＬＣ）が用いられることが多い。一般的にＥＤＬＣは、向かい合った２つの電極の間に電解液を満たした構造を有し、電解液と電極の界面に形成される電気二重層を利用して電荷を物理的に蓄積する。すなわち、このＥＤＬＣは、リチウム電池やニッケル水素電池などの二次電池と異なり、充電に化学反応を伴わない。そのため、劣化が少なく二次電池よりも寿命が長い、充電時間が短いといった特徴を有している。
【０００３】
ところで、上記のモジュールを構成する各容量素子（セルと呼ぶ）は、充電後の時間経過とともに自己放電して電圧が低下して行くという特性がある。この特性は、例えば容量素子に抵抗（漏れ抵抗と呼ぶ）が並列に接続されているモデルで表すことができる。この自己放電（漏れ電流）は、セル毎にばらつきがあり（すなわち漏れ抵抗にばらつきがある）、このばらつきによって、時間経過とともにセル間の電圧がアンバランスになるという現象が知られている。
【０００４】
セル間の電圧がアンバランスの状態で、モジュールに対して充電（蓄電）を行うと、場合によっては、電圧の高いセルから順に過充電になり、そのセルの定格電圧以上の電圧が印加された状態になる可能性がある。そして、セルに定格電圧以上の電圧が印加されると、セル内の電解液や構造部材の分解が加速され、内部抵抗の上昇や容量低下、ガス発生による漏液など、セルの耐久性に大きな悪影響を与えることになる。
【０００５】
このような、セル間の電圧アンバランスの問題を解決するため、セル間の電圧のバランスを取るバランス回路がモジュールに設けられることがある。一例としては、最小の漏れ抵抗の１／１０程度の固定抵抗（バランス抵抗と呼ぶ）をバランス回路として全セルに並列に接続するものがある（例えば、非特許文献１を参照）。このバランス回路によれば、漏れ電流がばらついているセルを直列接続しても、バランス抵抗の分圧値でセルの電圧が規定されるため、セル間の電圧ばらつきが一定に保たれる。また、バランス回路が抵抗のみで構成されているため、回路が単純で信頼性が高い。
【０００６】
また、他のバランス回路の例としては、コンパレータでセルの電圧を比較して、電圧が高いセルを放電させるようにしたものもある（例えば、非特許文献１を参照）。
【非特許文献１】岡村廸夫著、「電気二重層キャパシタと蓄電システム」、第３版、日刊工業新聞社、２００５年９月、ｐ．１５２
【発明の開示】
【発明が解決しようとする課題】
【０００７】
しかしながら、バランス抵抗によるバランス回路は、モジュールから充電回路が切り離されている状態で無負荷状態（負荷がオープン状態）であっても、バランス抵抗によって容量素子が放電することになる。上記の例では、漏れ電流が最大のセルの１０倍程度の電流がバランス抵抗に流れて、常時無駄なエネルギー（電力）を消費していることになり、省エネルギーの観点から見て好ましくはない。
【０００８】
また、コンパレータを用いたバランス回路は、複雑で部品点数が増えるため、故障率も高くなりがちであり、且つコストアップも大きい。さらには、大電流充電も困難であると考えられる。
【０００９】
本発明は上記の問題に着目してなされたものであり、容量素子に蓄電して電力を供給する蓄電装置において、容量素子間の電圧アンバランスを低減しつつ、該電圧アンバランス低減のために要する電力消費を小さく抑えることを目的としている。
【課題を解決するための手段】
【００１０】
上記の課題を解決するため、第１の発明は、
容量素子に蓄電して電力を供給する蓄電装置であって、
複数の容量素子（11）が並列接続された複数の並列容量素子ブロック（10）と、
前記複数の並列容量素子ブロック（10）を直列接続する接続部（20）と、
を備え、
前記蓄電装置全体の容量素子（11）うちの漏れ電流の大きさが最大の容量素子（11）及び漏れ電流の大きさが最小の容量素子（11）の少なくとも一方は、その容量素子（11）とは漏れ電流の大きさが異なる容量素子（11）と並列接続されていることを特徴とする。
【００１１】
これにより、並列容量素子ブロック（10）において、容量素子（11）の漏れ抵抗が並列接続されて、漏れ抵抗値が平均化される。
【００１２】
また、第２の発明は、
第１の発明の蓄電装置において、
すべての容量素子（11）の中で、漏れ電流が最大のものと最小のものとは、同じ並列容量素子ブロック（10）において並列接続されていることを特徴とする。
【００１３】
これにより、各並列容量素子ブロック（10）の漏れ電流の大きさを、より近づけることができる。
【００１４】
また、第３の発明は、
第１の発明の蓄電装置において、
前記容量素子（11）は、すべて同容量であることを特徴とする。
【００１５】
これにより、すべての並列容量素子ブロック（10）が、同一容量の容量素子（11）によって構成される。
【発明の効果】
【００１６】
第１の発明によれば、それぞれの並列容量素子ブロック（10）において漏れ抵抗値が平均化されるので、各並列容量素子ブロック（10）の漏れ電流の大きさを近づけることができる。すなわち、蓄電装置における容量素子間の電圧アンバランスを低減することができる。しかも、無負荷状態で流れる電流は、各容量素子の漏れ電流のみであり、容量素子にバランス抵抗を付加した蓄電装置のように、電圧アンバランス低減のために無駄なエネルギーを消費することがない。また、故障やコストアップに繋がる特別な回路も不要である。
【００１７】
また、第２の発明によれば、各並列容量素子ブロック（10）の漏れ電流の大きさを、より近づけることができるので、より効果的に、容量素子間の電圧アンバランスを低減することができる。
【００１８】
また第３の発明によれば、すべての並列容量素子ブロック（10）が、同一容量の容量素子（11）によって構成されるので、それぞれの並列容量素子ブロック（10）を構成する容量素子（11）を、漏れ電流の大きさに応じて容易に選択することができる。
【発明を実施するための最良の形態】
【００１９】
以下、本発明の実施形態について図面を参照しながら説明する。なお、以下の実施形態は、本質的に好ましい例示であって、本発明、その適用物、あるいはその用途の範囲を制限することを意図するものではない。
【００２０】
《発明の実施形態》
図１は、本発明の実施形態に係る蓄電装置（1）の構成を示すブロック図である。この蓄電装置（1）は、例えば、複写機の加熱装置の補助電源や、パーソナルコンピュータの無停電電源装置などに使用される。
【００２１】
-蓄電装置（1）の全体構成-
蓄電装置（1）は、図１に示すように、直列接続された複数の並列容量素子ブロック（10）、接続部（20）、及び一対の出力端子（T1,T2）を備えている。
【００２２】
並列容量素子ブロック（10）は、並列に接続された複数（図１の例では２個）の容量素子（11）を有し、それらの容量素子（11）に電荷を蓄積する。並列容量素子ブロック（10）の詳細については後述する。
【００２３】
また、接続部（20）は、例えば電線などの導体により構成され、それぞれの並列容量素子ブロック（10）を直列接続している。そして直列接続された末端の並列容量素子ブロック（10）は、出力端子（T1,T2）と接続されている。これらの出力端子（T1,T2）は、例えば複写機の加熱装置などの負荷が接続されて電力の供給に使用される他、並列容量素子ブロック（10）を充電する際に、充電回路（図示せず）が接続される。
【００２４】
直列接続する並列容量素子ブロック（10）の具体的な個数は、蓄電装置（1）の出力電圧、入手可能な容量素子の出力電圧などから総合的に決定する。例えば、図２に示す蓄電装置と等価な装置として蓄電装置（1）を構成することを検討してみる。図２に示す蓄電装置は、８個の容量素子（101〜108）が直列に接続され、それぞれの容量素子（単セル）は、容量（単セル容量）が２０Ｆである。容量素子（101〜108）の出力電圧がそれぞれ２．５Ｖであるものとすると、この例では合成容量が２．５Ｆ、出力電圧が２０Ｖ（＝２．５Ｖ×８）である。ここで、蓄電装置（1）でも例えば出力電圧が２．５Ｖの容量素子を使用すると、この蓄電装置（1）では、図１で示したように８個の並列容量素子ブロック（10）を直列に接続し、各容量素子（11）の容量は１０Ｆとすればよい。
【００２５】
-並列容量素子ブロック（10）の構成-
本実施形態の並列容量素子ブロック（10）は、容量素子（11）として、ＥＤＬＣ（電気二重層キャパシタ）を採用している。ただし、容量素子（11）の形式は、これに限定されるものではなく、種々の形式の容量素子を採用できる。なお、本実施形態では、これらの容量素子（11）の容量は何れも同容量で、且つ出力電圧も同じであるものとする。
【００２６】
ところで、容量素子（11）は一般的に、図３に示すように、充電後の時間経過とともに自己放電して電圧が低下して行くという特性がある。この特性は、図４に示すように、容量素子（11）に抵抗（漏れ抵抗と呼ぶ）が並列に接続されているモデルで表すことができる。また、容量素子（11）の自己放電（漏れ電流）は、容量素子（11）毎にばらつきがある（すなわち漏れ抵抗にばらつきがある）。容量素子が直列接続された蓄電装置においては、このばらつきによって、時間経過とともに容量素子間の電圧がアンバランスになるという現象が起こる。
【００２７】
そこで、本実施形態では、容量素子（11）同士を並列接続して、漏れ抵抗のばらつきを平均化している。その際、各並列容量素子ブロック（10）に使用する容量素子（11）を、漏れ電流の大きさに応じて選択し、並列容量素子ブロック（10）単位の漏れ電流値ができるだけ同じ値になるようにしている。
【００２８】
具体的には、蓄電装置（1）全体の容量素子（11）うちの漏れ電流の大きさが最大の容量素子（11）及び漏れ電流の大きさが最小の容量素子（11）の少なくとも一方は、その容量素子（11）とは漏れ電流の大きさが異なる容量素子（11）と並列接続されるようにしている。
【００２９】
つまり、後に例示するように、漏れ抵抗が最大の容量素子（11）のみで構成した並列容量素子ブロック（10）と、漏れ抵抗が最小の容量素子（11）のみで構成した並列容量素子ブロック（10）とが蓄電装置（1）に含まれている場合には、並列容量素子ブロック（10）単位で見た漏れ電流のばらつき範囲が、蓄電装置（1）全体の容量素子（11）の漏れ電流のばらつき範囲と同じになるため、このような容量素子（11）の組み合わせを除外しているのである。
【００３０】
より効果的に各並列容量素子ブロック（10）の漏れ電流の大きさを揃えるには、漏れ電流が最大、最小の容量素子（11）以外の容量素子（11）の漏れ電流の大きさも考慮して、各並列容量素子ブロック（10）に使用する容量素子（11）を選択するのがよい。これには、一例として次のような方法がある。
【００３１】
まず、並列容量素子ブロック（10）の製造に使用する容量素子（11）を、漏れ電流の大きさに応じて、複数のグループに分ける。このときのグループ数は、該並列容量素子ブロック（10）において並列接続される容量素子（11）の個数とするのがよい。すなわち、本実施形態では、並列容量素子ブロック（10）が２つの容量素子（11）で構成されているので、図５に示すように、容量素子（11）を漏れ電流の大きさに応じて２つのグループに分ける。例えば、容量素子（11）の漏れ電流のばらつき範囲が±２０％あるとすれば、-２０％以上で且つ０％以下のグループ（Ａ）と、０％より大で且つ＋２０％以下のグループ（Ｂ）とに分け、並列容量素子ブロック（10）内の一方の容量素子（11）としてグループ（Ａ）内の容量素子（11）を選択し、他方の容量素子（11）としてグループ（Ｂ）内の容量素子（11）を選択する。図５の例では、１６個の容量素子（11）（Ｃ１〜Ｃ１６とする）が、±２０％の範囲で漏れ電流がばらついており、これらの容量素子（11）のうち、Ｃ１〜Ｃ８がグループ（Ａ）に含まれ、Ｃ９〜Ｃ１６がグループ（Ｂ）に含まれている。
【００３２】
上記のように容量素子（11）を漏れ電流の大きさに応じてグループに分けするには、容量素子（11）の漏れ電流を予め測定しておく必要がある。容量素子（11）の漏れ電流は、例えば容量素子（11）の最終検査工程におけるエージング試験（定格電圧、定格電流以下での充放電試験）において、充電完了後に、無負荷状態で一定時間後の電圧降下を測定することでわかる。ここで、容量素子（11）の容量をＣ、電圧降下をＶ、漏れ電流をＩ、そして漏れ電流の計測時間をｔとすると、ＣＶ＝Ｉｔの関係があるから、この式より漏れ電流を算出できる。例えば、Ｃ＝１Ｆ、ｔ＝１００ｓｅｃとして、初期の充電電圧が２．５Ｖで、１００ｓｅｃ後の端子電圧が２．４９Ｖであった場合には、Ｖ＝０．０１Ｖである。そして、前記の式から漏れ電流を求めると、Ｉ＝０．１ｍＡとなる。
【００３３】
特に、ＥＤＬＣは、製造工程で漏れ電流を全数計測し、漏れ電流の大きいもの（規格外のもの）についてはロットアウトするのが一般的なので、この検査工程において漏れ電流値で容量素子（11）をグループ分けすればよい。
【００３４】
次に、それぞれのグループから選んだ容量素子（11）を並列接続する。このとき、後に具体例で説明するように、並列接続する容量素子（11）は、漏れ電流の差が大きな組み合わせ（漏れ抵抗の差が大きな組み合わせ）となるように選ぶのが好ましい。例えば、上記の例では、グループ（Ａ）内の漏れ電流が最小の容量素子（11）と、グループ（Ｂ）内の漏れ電流が最大の容量素子（11）とを組み合わせるのがよい。
【００３５】
-蓄電装置（1）における並列容量素子ブロック（10）間の電圧アンバランス-
例えば、図６に示した回路構成の蓄電装置（基本構成と呼ぶことにする）の代わりに使用する蓄電装置として蓄電装置（1）を構成したとして、蓄電装置（1）における並列容量素子ブロック（10）間の電圧アンバランスを検討してみる。なお、基本構成の蓄電装置は、２個の容量素子（101〜102）が直列に接続され、それぞれの容量素子（単セル）は、容量（単セル容量）が２０Ｆである。したがって、それぞれの容量素子の出力電圧が２．５Ｖであるとすると、この例では合成容量は１０Ｆ、出力電圧は５Ｖ（＝２．５Ｖ×２）である。
【００３６】
基本構成の蓄電装置は、直列接続の容量素子が１列のみなので、漏れ電流によるアンバランスを補正することはできない。そして、場合よっては、容量素子同士の漏れ電流の差が大きな（過充電になる）組み合わせになる場合もありえる。
【００３７】
例えば、容量素子（101〜102）の漏れ電流のばらつきが±２０％あるとすれば、漏れ抵抗も±２０％のばらつきがあることになる。このとき、漏れ抵抗の中央値が１０ｋΩであるとすれば、漏れ抵抗の最小値は８ｋΩ、最大値は１２ｋΩとなる。そして、容量素子同士の漏れ電流の差が最大になる、すなわち電圧差（電圧アンバランス）が最大になるのは、図７に示すように、一方の容量素子（容量素子（101）とする）の漏れ抵抗値（R101）が最小値の８ｋΩであり、もう一方の容量素子（容量素子（102）とする）の漏れ抵抗値（R102）が最大値１２ｋΩのときである。
【００３８】
この基本構成の蓄電装置に対して、例えば蓄電装置（1）全体で５Ｖとなるまで充電すると、容量素子（101）の分圧が２Ｖ、容量素子（102）の分圧が３Ｖとなる。つまり、この例では１Ｖの電圧アンバランスを生ずる。このように電圧アンバランスがある状態で、容量素子（101）側の分圧が、本来の出力電圧である２．５Ｖとなるまで充電（満充電）すると、容量素子（102）側の電圧が３Ｖよりもさらに上昇し、場合によっては定格電圧以上の電圧が容量素子（102）に印加された状態になる可能性がある。
【００３９】
上記の基本構成の蓄電装置に相当する電力を、２つの並列容量素子ブロック（10）が直列接続された蓄電装置（1）（図８を参照）で供給するとすれば、並列容量素子ブロック（10）ひとつあたりの合成容量は、２０Ｆとする必要がある。このとき、１つの並列容量素子ブロック（10）を２個の容量素子（11）を並列接続して構成するとすれば、それぞれの容量素子（11）は、容量を１０Ｆ、出力電圧を２．５Ｖとすればよい。このとき、容量素子（11）の漏れ抵抗は、基本構成の蓄電装置における容量素子の２倍になり、基本構成の蓄電装置と等価にするために、そのばらつき範囲は２０ｋΩ±２０％であるものとする。つまり、蓄電装置（1）全体における容量素子（11）の漏れ電流のばらつき範囲は、漏れ抵抗に換算して、２０ｋΩ±２０％である。以下、各並列容量素子ブロック（10）における容量素子（11）の漏れ電流（漏れ抵抗）の大きさを検討してみる。
【００４０】
《具体例１》
蓄電装置（1）全体における容量素子（11）の漏れ抵抗のばらつき範囲が２０ｋΩ±２０％の場合には、中央値の２０ｋΩを境界にして容量素子（11）を２つのグループに分けるとよい。例えば、４つの容量素子（11）の漏れ電流を測定し、それを漏れ抵抗に換算したところ、それぞれ１６ｋΩのものが２つ、２４ｋΩのものが２つであったとすると、一方グループには漏れ抵抗が１６ｋΩの容量素子（11）のみ、もう一方のグループには漏れ抵抗が２４ｋΩの容量素子（11）のみがそれぞれ含まれることになる。
【００４１】
したがって、この例では、漏れ抵抗が１６ｋΩの容量素子（11）と、漏れ抵抗が２４ｋΩの容量素子（11）とを並列接続した並列容量素子ブロック（10）を２つ形成し、それらの並列容量素子ブロック（10）を直列接続して蓄電装置（1）を形成することになる。
【００４２】
図８は、この構成を図示したものである。図８に示すように、図示上側の並列容量素子ブロック（10）は、容量素子（11）の一方が容量（C11）、漏れ抵抗値（R11）、他方が容量（C12）、漏れ抵抗値（R12）である。また、図示下側の並列容量素子ブロック（10）は、容量素子（11）の一方が容量（C21）、漏れ抵抗値（R21）、他方が容量（C22）、漏れ抵抗値（R22）である。そして、この例では、Ｒ１１＝Ｒ２１＝１６ｋΩ、Ｒ１２＝Ｒ２２＝２４ｋΩである。したがって、それぞれの並列容量素子ブロック（10）単位の漏れ抵抗は何れも９．６ｋΩとなる。つまり、蓄電装置（1）全体では、漏れ抵抗が９．６ｋΩの容量素子が２つ直列接続された状態と等価と見ることができる。この状態では、図８に示すように、蓄電装置（1）を充電した際に２つの並列容量素子ブロック（10）間には電圧のアンバランスを生じない。
【００４３】
ちなみに、図９に示すように、Ｒ１１＝Ｒ１２＝１６ｋΩ、Ｒ２１＝Ｒ２２＝２４ｋΩとする、すなわち、漏れ抵抗が１６ｋΩの容量素子（11）同士を並列接続した並列容量素子ブロック（10）と、漏れ抵抗が２４ｋΩの容量素子（11）同士を並列接続した並列容量素子ブロック（10）とを直列接続して蓄電装置（1）を構成したとすれば、この蓄電装置（1）は、図９に示すように、漏れ抵抗が８ｋΩの容量素子と漏れ抵抗が１２ｋΩの容量素子が直列接続された状態と等価と見ることができる。これは、上記の基本構成の蓄電装置において、電圧アンバランスが最大の状態となった場合と同じである。
【００４４】
このように、漏れ抵抗が最大の容量素子（11）のみで構成した並列容量素子ブロック（10）と、漏れ抵抗が最小の容量素子（11）のみで構成した並列容量素子ブロック（10）とが蓄電装置（1）に含まれていると、基本構成の蓄電装置において電圧アンバランスが最大となったのと同じ状態になる。これに対し本実施形態では、該容量素子（11）内で漏れ電流の大きさが最大の容量素子（11）、及び漏れ電流の大きさが最小の容量素子（11）の少なくとも一方は、該容量素子（11）とは漏れ電流の大きさが異なる容量素子（11）と並列接続されるように、並列容量素子ブロック（10）を形成しているので、このような蓄電装置（1）が製造されることはない。
【００４５】
《具体例２》
例えば、４つの容量素子（11）の漏れ抵抗が、それぞれ２４ｋΩ、２２ｋΩ、１８ｋΩ、１６ｋΩであったとする。この例では、一方グループには漏れ抵抗が２４ｋΩ、２２ｋΩの容量素子（11）、もう一方のグループには漏れ抵抗が１８ｋΩ、１６ｋΩの容量素子（11）が含まれることになる。そこで、図１０に示すように、図示上側の並列容量素子ブロック（10）ではそれぞれ漏れ抵抗が２４ｋΩ、１６ｋΩの容量素子（11）を並列接続し、図示下側の並列容量素子ブロック（10）ではそれぞれ漏れ抵抗が２２ｋΩ、１８ｋΩの容量素子（11）を並列接続すると、蓄電装置（1）全体では、漏れ抵抗が９．６ｋΩの容量素子と、９．９ｋΩの容量素子とが直列接続された状態と等価と見ることができる。このとき、蓄電装置（1）を５Ｖに充電した際のそれぞれの並列容量素子ブロック（10）の電圧は、２．４６Ｖ、２．５４Ｖとなり、基本構成の蓄電装置よりも電圧のアンバランスは小さい。
【００４６】
なお、各並列容量素子ブロック（10）を構成する容量素子の組み合わせとしては、一方の並列容量素子ブロック（10）においてそれぞれ漏れ抵抗が２４ｋΩ、１８ｋΩの容量素子（11）を並列接続し、もう一方の並列容量素子ブロック（10）においてそれぞれ漏れ抵抗が２２ｋΩ、１６ｋΩの容量素子（11）を並列接続することも可能である。この組み合わせでは、基本構成の蓄電装置よりも電圧のアンバランスは小さいものの、本具体例の前段で説明した例よりは電圧のアンバランスは大きい。すなわち、前段で説明した例のように、すべての容量素子（11）の中で、漏れ電流が最大のものと最小のものとが、同じ並列容量素子ブロック（10）において並列接続されるようにすると、各並列容量素子ブロック（10）の漏れ電流値をより近づけることができる。
【００４７】
以上のように、本実施形態によれば、蓄電装置における容量素子間の電圧アンバランスを低減することができる。しかも、無負荷状態で流れる電流は、各容量素子（11）の漏れ電流のみであり、容量素子にバランス抵抗を付加した蓄電装置のように、電圧アンバランス低減のために無駄なエネルギーを消費することがない。また、故障やコストアップに繋がる特別な回路も不要である。
【００４８】
なお、上記の実施形態の説明では、並列容量素子ブロック（10）を構成する容量素子（11）が２個の例を説明したが、容量素子（11）の数はこれに限定されるものではない。例えば、３個の容量素子（11）で並列容量素子ブロック（10）を構成したり、或いは４個以上の容量素子（11）で構成するようにしてもよい。
【産業上の利用可能性】
【００４９】
本発明に係る蓄電装置は、容量素子に蓄電して電力を供給する蓄電装置として有用である。
【図面の簡単な説明】
【００５０】
【図１】本発明の実施形態に係る蓄電装置（1）の構成を示すブロック図である。
【図２】容量素子が一列分だけ直列接続された蓄電装置の回路図である。
【図３】容量素子の端子電圧の経時変化を示す図である。
【図４】容量素子の等価回路を示す図である。
【図５】容量素子の漏れ電流のばらつき、及び容量素子のグループ分けを説明する図である。
【図６】容量素子が一列分だけ直列接続された基本構成の蓄電装置を示す回路図である。
【図７】基本構成の蓄電装置における電圧アンバランス状態の一例を示す図である。
【図８】本実施形態における各並列容量素子ブロック（10）の電圧の一例を示す図である。
【図９】電圧アンバランスが最大状態となる漏れ抵抗値の一例を説明する図である。
【図１０】本実施形態における各並列容量素子ブロック（10）の電圧の一例を示す図である。
【符号の説明】
【００５１】
１０      並列容量素子ブロック
１１      容量素子
２０      接続部
【図１】
2010017052.tif 000003
【図２】
2010017052.tif 000004
【図３】
2010017052.tif 000005
【図４】
2010017052.tif 000006
【図５】
2010017052.tif 000007
【図６】
2010017052.tif 000008
【図７】
2010017052.tif 000009
【図８】
2010017052.tif 000010
【図９】
2010017052.tif 000011
【図１０】
2010017052.tif 000012